(57)【特許請求の範囲】
【請求項１】
磁力により吸着可能に構成されており肌に塗布されたパック剤を、磁力により吸着して肌から除去するリムーバーであって、
棒状を呈するハンドル部と、
上記ハンドル部の端部に連なり、磁石が保持された吸着ヘッド部と、
該吸着ヘッド部の表面に形成され、上記ハンドル部の長手方向に沿って延びた楕円状を呈し、前記磁石の磁力によって前記美容剤を吸着する磁力発生面とを有しており、
上記磁石は、上記ハンドル部の長手方向と平行な方向に測定して得られる長さ寸法が上記ハンドル部の長手方向と直角な方向に測定して得られる幅寸法よりも大きい、リムーバー。
【請求項２】
上記磁石は、楕円板状を呈している、請求項１に記載のリムーバー。
【請求項３】
上記吸着ヘッド部は、上記ハンドル部の長手方向と平行な方向に測定して得られる長さ寸法が上記ハンドル部の長手方向と直角な方向に測定して得られる幅寸法の２〜３倍である、請求項１または２に記載のリムーバー。
【請求項４】
上記吸着ヘッド部は、上記ハンドル部の長手方向と平行な方向に測定して得られる長さ寸法が上記リムーバーの長さ寸法の０．５〜０．６倍である、請求項１〜３のいずれか１項に記載のリムーバー。
【請求項５】
上記吸着ヘッド部は上記ハンドル部の側方に膨出しており、上記磁力発生面は上記吸着ヘッド部の膨出方向における頂部に配置されている、請求項１〜４のいずれか１項に記載のリムーバー。
【発明の詳細な説明】
【技術分野】
【０００１】
本発明は、肌に塗布された美容剤を磁力により吸着して肌から除去するリムーバーに関する。
【背景技術】
【０００２】
従来、比較的低粘度のシロップ状や比較的高粘度のペースト状、あるいはゲル状、粉状などの種々の性状を有する美容剤が知られている。この種の美容剤には、肌に塗布してから暫く時間を置いた後に除去することにより、肌の汚れや老廃物等を美容剤とともに除去するように構成されたものがある。このような美容剤を肌から除去する方法としては、コットン等による拭き取りや、ぬるま湯等により洗い落とす方法が一般的である。
【０００３】
これらの一般的方法よりも簡便に使用後の美容剤を除去する方法として、肌に塗布した美容剤を磁力により吸着して除去する方法が提案されている。例えば、特許文献１には、略棒状の柄と、柄の先端に取り付けられた磁石とを有する磁気吸着器が開示されている。この磁気吸着器は、円盤状を呈する磁石の一方の端面を磁気吸着器の外表面に露出させ、当該端面においてパック剤に含まれる磁性流体を吸着できるように構成されている。
【先行技術文献】
【特許文献】
【０００４】
【特許文献１】特開２００３−１９９６２０号公報
【発明の概要】
【発明が解決しようとする課題】
【０００５】
磁気吸着器に吸着可能な美容剤の量には限界があるため、使用中に磁気吸着器に吸着させた美容剤の量が限界に近づくにつれて、美容剤の肌からの除去が困難になる。そのため、使用者は、肌からの美容剤の除去が難しくなる度に、肌から美容剤を除去する作業を中断し、磁気吸着器から美容剤を引き離して廃棄する必要がある。そこで、磁気吸着器の使い勝手を向上させるために、磁気吸着器に吸着可能な美容剤の量を多くして美容剤の廃棄作業を行う回数を減らすことが求められている。
【０００６】
磁気吸着器に吸着可能な美容剤の量を多くするためには、磁石を大型化する必要がある。しかし、特許文献１に記載されたような円盤状の磁石は、その中央部における磁気吸引力が外周縁部における磁気吸引力に比べて相対的に小さいため、肌から除去された美容剤が磁石の外周縁部に集まり易い。そのため、磁石の直径を単純に大きくすると、磁石の中央部に美容剤が吸着されにくくなる。それ故、特許文献１の磁気吸着器は、単純に磁石を大型化しても、吸着可能な美容剤の量を多くすることが難しい。
【０００７】
また、特許文献１の磁気吸着器において磁石の直径を大きくすると、磁石の質量が増大するため、磁気吸着器の使い勝手が悪化するという問題もある。
【０００８】
本発明は、かかる背景に鑑みてなされたものであり、多量の美容剤を吸着することができ、使い勝手のよいリムーバーを提供しようとするものである。
【課題を解決するための手段】
【０００９】
本発明の一態様は、磁力により吸着可能に構成されており肌に塗布されたパック剤を、磁力により吸着して肌から除去するリムーバーであって、
棒状を呈するハンドル部と、
上記ハンドル部の端部に連なり、磁石が保持された吸着ヘッド部と、
該吸着ヘッド部の表面に形成され、上記ハンドル部の長手方向に沿って延びた楕円状を呈し、前記磁石の磁力によって前記美容剤を吸着する磁力発生面とを有しており、
上記磁石は、上記ハンドル部の長手方向と平行な方向に測定して得られる長さ寸法が上記ハンドル部の長手方向と直角な方向に測定して得られる幅寸法よりも大きい、リムーバーにある。
【発明の効果】
【００１０】
上記リムーバーは、上記ハンドル部の長手方向と平行な方向に測定して得られる長さ寸法が上記ハンドル部の長手方向と直角な方向に測定して得られる幅寸法よりも大きい、上記磁石を有している。このように細長い形状を呈する上記磁石は、円盤状の磁石に比べて磁石の中央部にパック剤（なお、以下においてパック剤のことを「美容剤」ということもある。）が吸着されやすい。それ故、上記リムーバーは、上記磁石の大型化により、上記磁力発生面に吸着可能なパック剤の量を容易に多くすることができる。
【００１１】
また、上記磁石は細長い形状を呈しているため、円盤状の磁石に比べて大型化した際の質量の増加量が小さい。それ故、上記リムーバーは、上記磁石を大型化しても、使い勝手の悪化を抑制することができる。
【図面の簡単な説明】
【００１２】
【図１】実施例における、リムーバーの斜視図である。
【図２】実施例における、リムーバーの上面図である。
【図３】実施例における、リムーバーの下面図である。
【図４】実施例における、リムーバーの側面図である。
【図５】図２のV−V線矢視断面図である。
【図６】実施例のリムーバーにおける、磁石及びヘッド壁部の斜視図である。
【図７】実施例のリムーバーにおける、ハンドル下部の上面図である。
【図８】実施例のリムーバーにおける、ハンドル下部の側面図である。
【図９】図７のIX−IX線矢視断面図である。
【図１０】実施例のリムーバーにおける、ハンドル上部の側面図である。
【図１１】実施例のリムーバーにおける、ハンドル上部の下面図である。
【図１２】実施例のリムーバーを用いて他人の背中に塗布した美容剤を肌から除去する作業の説明図である。
【図１３】実施例のリムーバーに装着するリムーバーカバーの斜視図である。
【図１４】リムーバーカバーを構成するシート材の平面図である。
【図１５】実施例のリムーバーにリムーバーカバーを装着した状態の側面図である。
【図１６】リムーバーカバーの延設部を折り返した状態の側面図である。
【図１７】実施例のリムーバーを載置する置き台の斜視図である。
【図１８】実施例のリムーバーが載置された置き台の側面図である。
【図１９】置き台の上面図である。
【図２０】図１９のXX−XX線矢視断面図である。
【図２１】置き台における、載置面部の下面図である。
【図２２】置き台における、側面部の上面図である。
【図２３】置き台における、側面部の下面図である。
【図２４】置き台における、底面部の上面図である。
【発明を実施するための形態】
【００１３】
上記リムーバーは、上記吸着ヘッド部の表面に上記特定の形状を呈する上記磁力発生面を有している。そのため、上記リムーバーを上記ハンドル部の長手方向と直角な方向に動かすことにより、肌から美容剤が除去される面積を広くすることができる。それ故、上記リムーバーは、少ない回数で肌から美容剤を除去することができる。
【００１４】
上記リムーバーは、例えばエステティックサロン等において、被施術者の肌に塗布された美容剤を肌から除去する際に使用することができる。この場合、リムーバーを使用する施術者は、被施術者の身体の側方に立った状態で上記リムーバーを使用することにより、被施術者の背中などの、比較的平坦な部分に塗布された美容剤を効率的に肌から除去することができる。
【００１５】
上述したように、他人の背中などに塗布された美容剤を肌から除去する用途に上記リムーバーを用いる場合、磁力発生面の面積を３０００ｍｍ2以上にすることが好ましい。磁力発生面の面積を上記特定の範囲にすることにより、背中などの比較的平坦な部分に塗布された美容剤をより効率的に肌から除去することができる。一方、リムーバーの使い勝手の観点からは、磁力発生面の面積を４０００ｍｍ2以下にすることが好ましい。
【００１６】
従って、磁力発生面の面積を３０００〜４０００ｍｍ2にすることにより、美容剤の除去効率とリムーバーの使い勝手とを両立させることができる。かかる磁力発生面を有するリムーバーは、他人の背中などに塗布された美容剤を肌から除去する用途に最適である。
【００１７】
また、上記リムーバーは、自分自身の肌に塗布した美容剤を吸着して肌から除去する際にも当然に使用することができる。
【００１８】
上記リムーバーにおける磁力発生面は、楕円状を呈している。ここで、上述した楕円状には、楕円形、長円形及び卵形等の、真円を上記ハンドル部の長手方向に沿って引き伸ばした形状が含まれる。また、磁力発生面は、一般的な感覚として楕円状と認識できる程度に上述した楕円形等の形状を変形した形状であってもよい。
【００１９】
上記磁石としては、板厚方向に着磁された板状磁石を採用することができる。平面視における磁石の形状は、例えば、長方形、楕円形あるいは長円形などの種々の形状とすることができる。また、磁石は、一般的な感覚として長方形、楕円形あるいは長円形と認識できる程度に幾何学的に定義される長方形等を変形した形状であってもよい。
【００２０】
上記磁石は、楕円板状を呈していることが好ましい。この場合には、磁石の中央部に美容剤が吸着されにくい領域が形成されることを回避しつつ、磁極面、即ち板厚方向の端面の表面積をより広くすることができる。その結果、磁力発生面に吸着可能な美容剤の量をより多くすることができる。
【００２１】
上記吸着ヘッド部は、上記ハンドル部の長手方向と平行な方向に測定して得られる長さ寸法が上記ハンドル部の長手方向と直角な方向に測定して得られる幅寸法の２〜３倍であることが好ましい。この場合には、磁力発生面に吸着可能な美容剤の量をより多くすることができるとともに、吸着ヘッド部を種々の方向に容易に傾けることができ、リムーバーの使い勝手をより向上させることができる。
【００２２】
上記長さ寸法が上記幅寸法の２倍未満である場合には、磁力発生面の表面積を広くすることが難しいため、磁力発生面に吸着可能な美容剤の量を多くすることが難しくなるおそれがある。一方、上記長さ寸法が上記幅寸法の３倍を超える場合には、吸着ヘッド部の質量が過度に大きくなり易い。そのため、場合によっては吸着ヘッド部を傾けた際にリムーバーの姿勢が不安定になり、使い勝手が悪化するおそれがある。
【００２３】
上記吸着ヘッド部は、上記ハンドル部の長手方向と平行な方向に測定して得られる長さ寸法が上記リムーバーの長さ寸法の０．５〜０．６倍であることが好ましい。この場合には、磁力発生面に吸着可能な美容剤の量をより多くすることができるとともに、吸着ヘッド部を種々の方向に容易に傾けることができ、リムーバーの使い勝手をより向上させることができる。
【００２４】
吸着ヘッド部の長さ寸法がリムーバーの長さ寸法の０．５倍未満である場合には、磁力発生面の表面積を広くすることが難しいため、磁力発生面に吸着可能な美容剤の量を多くする効果が低くなるおそれがある。一方、吸着ヘッド部の長さ寸法がリムーバーの長さ寸法の０．６倍を超える場合には、リムーバーの重心が、その長手方向における吸着ヘッド部側に過度に偏るおそれがある。そのため、場合によっては吸着ヘッド部を傾けた際にリムーバーの姿勢が不安定になり、使い勝手が悪化するおそれがある。
【００２５】
上記吸着ヘッド部は上記ハンドル部の側周面から外方に膨出しており、上記磁力発生面は上記吸着ヘッド部の頂部に配置されていることが好ましい。この場合には、美容剤が塗布された肌に磁力発生面を接近させた際に、磁力発生面と肌との距離よりも、ハンドル部と肌との距離をより広くすることができる。それ故、美容剤が塗布された肌に磁力発生面を接近させる際に、肌と、ハンドル部を把持する使用者の手との接触を容易に回避することができる。その結果、上記リムーバーの使い勝手をより向上させることができる。
【００２６】
上記磁石は、上記磁力発生面側を向いた第１磁極面と、上記ハンドル部側を向いた第２磁極面とを有しており、該第２磁極面は、軟磁性体より構成されたヨーク板に覆われていることが好ましい。この場合には、ヨーク板の外周端縁が実質的な磁極となるため、第１磁極面とヨーク板の外周端縁とを結ぶ磁力線が、ヨーク板を設けない場合に比べてより遠方まで伸びやすくなる。その結果、上記磁力発生面から発生する磁力がより遠方まで到達しやすくなり、肌に塗布された美容剤の吸着除去をより容易に行うことができる。
【実施例】
【００２７】
上記リムーバーの実施例について、図を用いて説明する。図１〜図５に示すように、リムーバー１は、棒状を呈するハンドル部２と、ハンドル部２の端部に連なり、磁石３が保持された吸着ヘッド部４と、吸着ヘッド部４の表面に形成され、ハンドル部２の長手方向に沿って延びた楕円状を呈する磁力発生面４１とを有している。また、図３に示すように、磁石３は、ハンドル部２の長手方向と平行な方向に測定して得られる長さ寸法がハンドル部２の長手方向と直角な方向に測定して得られる幅寸法よりも大きい。
【００２８】
図１及び図４に示すように、吸着ヘッド部４は、ハンドル部２の側周面から外方に膨出している。そして、図３〜図５に示すように、磁力発生面４１は吸着ヘッド部４の頂部に配置されている。
【００２９】
図３及び図６に示すように、本例の磁石３は、楕円板状を呈している。また、図５に示すように、磁石３は、磁力発生面４１側を向いた第１磁極面３１と、ハンドル部２側を向いた第２磁極面３２とを有している。第２磁極面３２は、軟磁性体より構成されたヨーク板４２に覆われている。
【００３０】
なお、以下において、ハンドル部２の長手方向を「縦方向」といい、縦方向における吸着ヘッド部４側を「前方」、その反対側を「後方」をいうことがある。また、磁石３の板厚方向を「高さ方向」といい、高さ方向における第１磁極面３１側を「下方」、第２磁極面３２側を「上方」ということがある。また、縦方向及び高さ方向の両方に直交する方向を「横方向」ということがある。リムーバー１の方向に関するこれらの記載は便宜上のものであり、リムーバー１を実際に使用する際の向きとは何ら関係がない。
【００３１】
図２及び図４に示すように、ハンドル部２は、縦方向におけるリムーバー１の全長に亘って延設されている。ハンドル部２は、吸着ヘッド部４に連なるヘッド接続部２１と、使用者が把持するハンドル本体部２３と、ヘッド接続部２１とハンドル本体部２３との間に介在する幅狭部２２とを有している。
【００３２】
図２に示すように、ヘッド接続部２１は、上面視において略楕円状を呈している。また、ヘッド接続部２１は、横方向の両側に、周囲よりもハンドル部２の内側に陥没するように形成された一対の凹曲面部２１１を有している。一対の凹曲面部２１１は、使用者がハンドル本体部２３を把持した状態において、指を伸ばして凹曲面部２１１上に載置することができるように構成されている。凹曲面部２１１上に指を載置しつつハンドル本体部２３を把持すると、凹曲面部２１１上に載置した指の下方に磁力発生面４１が配置される。そのため、使用者が磁力発生面４１の位置をより直感的に把握することができる。その結果、リムーバー１の使い勝手をより向上させることができる。
【００３３】
図２〜図４に示すように、幅狭部２２は、ヘッド接続部２１及びハンドル本体部２３の両方よりも幅狭となるように形成されている。図４に示すように、ハンドル本体部２３は、磁力発生面４１よりも上方に配置されている。そのため、美容剤が塗布された肌に磁力発生面４１を接近させた際に、磁力発生面４１と肌との距離よりも、ハンドル本体部２３と肌との距離をより広くすることができる。それ故、リムーバー１は、美容剤が塗布された肌と、ハンドル本体部２３を把持する使用者の手との接触を容易に回避することができる。その結果、リムーバー１の使い勝手をより向上させることができる。
【００３４】
吸着ヘッド部４は、ヘッド接続部２１の側周面から外方に膨出している。図３に示すように、吸着ヘッド部４は、下面視において楕円状を呈している。本例の吸着ヘッド部４の長さ寸法Ｌh、即ち、ハンドル部２の長手方向と平行な方向（縦方向）に測定して得られる外寸法は、約１２９ｍｍである。また、本例の吸着ヘッド部４の幅寸法Ｗh、即ち、ハンドル部２の長手方向と直角な方向（横方向）に測定して得られる外寸法は、約６２ｍｍである。
【００３５】
従って、本例の吸着ヘッド部４における、ハンドル部２の長手方向と平行な方向に測定して得られる長さ寸法Ｌhは、ハンドル部２の長手方向と直角な方向に測定して得られる幅寸法Ｗhの２．１倍である。
【００３６】
また、本例のリムーバー１の長さ寸法Ｌrは、約２５３ｍｍである。従って、本例の吸着ヘッド部４における長さ寸法Ｌhは、リムーバー１の長さ寸法Ｌrの０．５１倍である。なお、図２及び図４に示すように、リムーバー１の長さ寸法Ｌrは、ハンドル部２の長さ寸法と一致する。
【００３７】
吸着ヘッド部４の頂部には、楕円状を呈する磁力発生面４１が配置されている。図４に示すように、本例の磁力発生面４１は、平坦に形成されている。
【００３８】
図３、図５及び図６に示すように、吸着ヘッド部４の内側には、板厚方向に着磁された磁石３が収容されている。磁石３は、長軸３０１がハンドル部２の長手方向に延び、第１磁極面３１と磁力発生面４１とが略平行になるように配置されている。本例の磁石３は、長軸３０１が約１０１ｍｍ、短軸３０２が約４６ｍｍ、板厚が約８ｍｍの楕円板状を呈している。従って、ハンドル部２の長手方向と平行な方向（縦方向）に測定して得られる磁石３の長さ寸法は約１０１ｍｍであり、ハンドル部２の長手方向と直角な方向（横方向）に測定して得られる磁石３の幅寸法は約４６ｍｍである。
【００３９】
磁石３の第２磁極面３２は、軟磁性体より構成されたヨーク板４２に覆われている。本例のヨーク板４２は、第２磁極面３２と同一の形状を有する鉄板である。ヨーク板４２は、第２磁極面３２の全面に当接するように配置されている。
【００４０】
本例のリムーバー１は、図５に示すように、ヘッド壁部４３、磁石３、ヨーク板４２、防水パッキン４４、緩衝材４５、ハンドル下部２４及びハンドル上部２５を有している。図４及び図６に示すように、ヘッド壁部４３は、吸着ヘッド部４の外壁を構成するとともに、その内部に磁石３及びヨーク板４２を保持することができるように構成されている。図４、図８及び図１０に示すように、ハンドル下部２４はハンドル部２の下半分を構成しており、ハンドル上部２５はハンドル部２の上半分を構成している。以下、リムーバー１を構成する各部品について、より詳細に説明する。
【００４１】
図６に示すように、ヘッド壁部４３は、カップ状に形成されており、その中央部が下方に陥没している。ヘッド壁部４３の中央部には、磁力発生面４１が配置されている。また、ヘッド壁部４３は、その外周縁部に、ハンドル下部２４に締結される３箇所の締結ボス４３１と、磁石３を保持する６箇所の位置決め部４３２と、ハンドル上部２５を係止するスナップ収容部４３３とを有している。
【００４２】
締結ボス４３１は、ヘッド壁部４３の内側表面を基端として、上方に向かって立設されている。図５に示すように、これら３箇所の締結ボス４３１にハンドル下部２４のネジ孔２４１（後述）を介して上方からネジ４３４を挿通することにより、ヘッド壁部４３とハンドル下部２４とを締結することができる。
【００４３】
図６に示すように、位置決め部４３２は、ヘッド壁部４３の内側表面を基端として、上方に向かって立設されている。６箇所の位置決め部４３２は、上面視において磁石３の外形に対応する楕円弧状を呈している。位置決め部４３２は、その内側に配置された磁石３の位置を保持し、縦方向や横方向への位置ずれを規制することができる。
【００４４】
スナップ収容部４３３は、ヘッド壁部４３の前方に配置されている。図５に示すように、後述するハンドル上部２５の係止突部２５３（図１１参照）をスナップ収容部４３３に収容することにより、ヘッド壁部４３にハンドル上部２５を係止することができる。
【００４５】
磁石３及びヨーク板４２は、ヘッド壁部４３の位置決め部４３２の内側に保持されている。また、図５に示すように、ヨーク板４２とハンドル下部２４との間には、磁石３に加わる衝撃などを緩和するための緩衝材４５が狭持されている。なお、本例の緩衝材４５はＥＶＡ（エチレン−酢酸ビニル共重合体）発泡体よりなるシートである。
【００４６】
図５に示すように、ヘッド壁部４３とハンドル部２との間には、防水パッキン４４が狭持されている。防水パッキン４４は、ヘッド壁部４３の外周に対応した環状に形成されている（図示略）。これにより、ヘッド壁部４３内部への水分の浸入を抑制することができる。なお、本例の防水パッキン４４は、シリコーンゴムより構成されている。
【００４７】
図５に示すように、ハンドル下部２４は、リムーバー１の略全長に亘って延設されている。図７に示すように、ハンドル下部２４は、横方向における中央部に、ハンドル上部２５に当接する当接縁部２４２を有している。また、当接縁部２４２よりも横方向における内側は、当接縁部２４２よりも下方に陥没している。
【００４８】
図７に示すように、ハンドル下部２４の底部前方には、ヘッド壁部４３を締結するための３箇所のネジ孔２４１が形成されている。また、ハンドル下部２４の縦方向における両端には、３箇所のボス保持筒２４３が立設されている。これら３箇所のボス保持筒２４３に後述するハンドル上部２５の位置決めボス２５１（図１１参照）を挿入することにより、ハンドル上部２５をハンドル下部２４に係止する作業において、ハンドル上部２５を所望の位置に容易に配置することができる。その結果、ハンドル上部２５の係止作業をより容易に行うことができる。
【００４９】
また、図７に示すように、ハンドル下部２４は、その底部から上方に突出した縦リブ２４４及び横リブ２４５を有している。縦リブ２４４は、ハンドル下部２４の横方向における中央に配置されており、縦方向に延設されている。縦リブ２４４の先端部は、後述するハンドル上部２５のリブ受け部２５２（図１１参照）内に保持されている。また、横リブ２４５は、ハンドル下部２４の底部において、横方向の全体に亘って延設されている。これらの縦リブ２４４及び横リブ２４５により、ハンドル部２の剛性をより向上させることができる。
【００５０】
また、ハンドル下部２４の当接縁部２４２には、ハンドル上部２５を係止する８箇所のスナップ収容部２４６が形成されている。これらのスナップ収容部２４６に、後述するハンドル上部２５の係止突部２５３（図１１参照）を収容することにより、ハンドル下部２４にハンドル上部２５を係止することができる。
【００５１】
図５に示すように、ハンドル上部２５は、リムーバー１の全長に亘って延設されている。図１０に示すように、ハンドル上部２５は、側面視における上側の輪郭２５０がＳ字状を呈するように湾曲している。図１１に示すように、ハンドル上部２５における下側表面には、ハンドル下部２４のボス保持筒２４３に挿入する３箇所の位置決めボス２５１、ヘッド壁部４３のスナップ収容部４３３及びハンドル下部２４のスナップ収容部２４６に収容される９箇所の係止突部２５３、ハンドル下部２４の縦リブ２４４を保持するリブ受け部２５２及び横方向に延設された横リブ２５４が形成されている。
【００５２】
位置決めボス２５１は、ハンドル上部２５の縦方向における両端部に配置されており、下方に向かって立設されている。上述したように、ハンドル上部２５をハンドル下部２４に係止する作業において、位置決めボス２５１をボス保持筒２４３に挿入することにより、ハンドル上部２５を所望の位置に容易に配置することができる。
【００５３】
係止突部２５３は、ハンドル上部２５の外周縁部に配置されている。９箇所の係止突部２５３のうち、最も前方に配置された係止突部２５３ａは、ヘッド壁部４３のスナップ収容部４３３に収容されている。また、残る８箇所の係止突部２５３ｂは、ハンドル下部２４のスナップ収容部２４６に収容されている。このように、係止突部２５３をスナップ収容部４３３、２４６に収容することにより、ハンドル上部２５をヘッド壁部４３及びハンドル下部２４の両方に係止することができる。
【００５４】
リブ受け部２５２は、ハンドル上部２５の横方向における中央に配置されており、縦方向に延設された一対の板状突起から構成されている。この一対の板状突起の間には、ハンドル下部２４の縦リブ２４４が挿入されている。
【００５５】
次に、リムーバー１の作用効果を説明する。リムーバー１は、図３に示すように、ハンドル部２の長手方向と平行な方向（縦方向）に測定して得られる長さ寸法がハンドル部２の長手方向と直角な方向（横方向）に測定して得られる幅寸法よりも大きい、磁石３を有している。そのため、円盤状の磁石に比べて磁石３の中央部に美容剤が吸着されやすい。それ故、リムーバー１は、磁石３の大型化により、磁力発生面４１に吸着可能な美容剤の量を容易に多くすることができる。
【００５６】
また、磁石３は細長い形状を呈しているため、円盤状の磁石に比べて大型化した際の質量の増加量が小さい。それ故、リムーバー１は、磁石３を大型化しても、使い勝手の悪化を抑制することができる。
【００５７】
図３、図５及び図６に示すように、磁石３は、楕円板状を呈している。それ故、磁石３の中央部に美容剤が吸着されにくい領域が形成されることを回避しつつ、第１磁極面３１の表面積をより広くすることができる。その結果、磁力発生面４１に吸着可能な美容剤の量をより多くすることができる。
【００５８】
吸着ヘッド部４は、縦方向に測定して得られる長さ寸法Ｌhが横方向に測定して得られる幅寸法Ｗhの２〜３倍である。さらに、吸着ヘッド部４は、その長さ寸法Ｌhがリムーバー１の長さ寸法Ｌrの０．５〜０．６倍である。それ故、リムーバー１は、磁力発生面４１に吸着可能な美容剤の量をより多くすることができるとともに、吸着ヘッド部４を種々の方向に容易に傾けることができる。その結果、リムーバー１の使い勝手をより向上させることができる。
【００５９】
図１及び図３〜図５に示すように、吸着ヘッド部４はハンドル部２の側周面から外方に膨出しており、磁力発生面４１は吸着ヘッド部４の頂部に配置されている。そのため、美容剤が塗布された肌に磁力発生面４１を接近させる際に、肌と、ハンドル部２を把持する使用者の手との接触を容易に回避することができる。その結果、リムーバー１の使い勝手をより向上させることができる。
【００６０】
図５に示すように、磁石３は、磁力発生面４１側を向いた第１磁極面３１と、ハンドル部２側を向いた第２磁極面３２とを有しており、第２磁極面３２は、軟磁性体より構成されたヨーク板４２に覆われている。それ故、ヨーク板４２の外周端縁が実質的な磁極となり、第１磁極面３１とヨーク板４２の外周端縁とを結ぶ磁力線が、ヨーク板４２を設けない場合に比べてより遠方まで伸びやすくなる。その結果、磁力発生面４１から発生する磁力がより遠方まで到達しやすくなり、肌に塗布された美容剤の吸着除去をより容易に行うことができる。
【００６１】
本例のリムーバー１は、吸着ヘッド部４の表面に上記特定の形状を呈する磁力発生面４１を有している。それ故、リムーバー１は、例えば図１２に示すように、エステティックサロン等において被施術者Ｐの肌に塗布された美容剤Ｃを肌から除去する際に使用することができる。この場合、リムーバー１を使用する施術者Ｏは、被施術者Ｐの身体の側方に立った状態で上記リムーバーを使用することにより、被施術者Ｐの背中などの、比較的平坦な部分に塗布された美容剤Ｃを効率的に肌から除去することができる。なお、図１２に示すリムーバー１の吸着ヘッド部４には、後述するカバー５（図１３〜図１６参照）が装着されている。
【００６２】
また、リムーバー１は、磁力発生面４１の面積が３０００〜４０００ｍｍ2であるため、他人の背中などに塗布された美容剤Ｃを肌から除去する用途において、美容剤Ｃの除去効率とリムーバー１の使い勝手とを両立させることができる。それ故、リムーバー１は、例えばエステティックサロン等において、他人の背中などに塗布された美容剤Ｃを肌から除去する用途に最適である。
【００６３】
なお、本発明は上記の態様に限定されることはなく、その趣旨を損なわない範囲で適宜構成を変更することができる。具体的には、上記のように構成を変更することができる。
【００６４】
・吸着ヘッド部４をハンドル部２の側周面から外方に膨出させず、ハンドル部２の側周面と面一になるように形成してもよい。
・磁石３として、長方形板状の磁石を用いてもよい。
・ハンドル部２は、その全長に亘って太さが一定になるように形成されていてもよい。
・ハンドル部２は、上面視及び側面視において直線状を呈していても良い。
・磁力発生面４１は、曲面から構成されていても良い。
・磁力発生面４１に、凹凸が形成されていても良い。
・ヨーク板４２は、第２磁極面３２及び磁石３の側周面を覆うカップ状を呈していても良い。
【００６５】
本例のリムーバー１は、磁力発生面４１を覆うリムーバーカバー（以下、単に「カバー」という。）を装着した状態で肌に塗布した美容剤の除去を行うことにより、磁力発生面４１に吸着された使用済みの美容剤をより容易に廃棄することができる。カバーとしては、例えば、吸着ヘッド部４の先端から磁力発生面４１までを覆う袋状のものを用いることができる。
【００６６】
図１３〜図１６に、カバーの一例を示す。図１３及び図１５に示すように、カバー５は、吸着ヘッド部４の先端から磁力発生面４１までを覆う袋部５１と、袋部５１の開口側に設けられ、吸着ヘッド部４が挿入される挿入口５２１を備えた環状縁部５２と、環状縁部５２から延設された延設部５３とを有している。そして、環状縁部５２は袋部５１側から挿入口５２１へ向かうにつれて開口径が大きくなる拡開部５２２を有している。
【００６７】
また、本例のカバー５における環状縁部５２は、挿入口５２１から外方へ拡開する鍔状部５２３を有している。
【００６８】
カバー５は、同一の形状を有する２枚のシート材６（図１４参照）から構成されている。シート材６は、最厚部の厚さが０．０５ｍｍであるメタロセン低密度ポリエチレンより構成されている。これにより、カバー５は、図１６に示すように、反転変形が可能な程度の柔軟性及び伸縮性を有している。また、図には示さないが、シート材６にはエンボス加工が施されており、表面に細かい凹凸形状が付与されている。
【００６９】
図１４に示すように、シート材６は、袋部５１となる袋部領域６１と、環状縁部５２となる縁部領域６２と、延設部５３となる延設部領域６３とを連ねた形状を有している。本例のシート材６における、袋部領域６１の前端６１１から延設部領域６３の後端６３１までの距離は２０２ｍｍである。
【００７０】
袋部領域６１は、前端６１１から縁部領域６２側へ向かうにつれて次第に幅が広くなるとともに、縁部領域６２側の近傍において、縁部領域６２に近づくにつれて次第に幅が狭くなるように形成されている。袋部領域６１の外周部６１２は楕円弧状を呈している。
【００７１】
縁部領域６２は、袋部領域６１から遠ざかるにつれて幅が広がるように構成されている。即ち、本例のカバー５は、環状縁部５２の全体が拡開部５２２となるように構成されている。縁部領域６２の外周部６２１は、袋部領域６１の外周部６１２に連なり直線状を呈する一対の直線部６２２と、一対の直線部６２２に連なり円弧状に湾曲した一対の弧状部６２３とを有している。本例における弧状部６２３の曲率半径は５ｍｍである。
【００７２】
本例の縁部領域６２は、延設部領域６３側の端縁において最大の幅寸法を有している。縁部領域６２の最大の幅寸法、即ち一対の弧状部６２３における延設部領域６３側の端点６２４を結んだ距離は９８ｍｍである。また、縁部領域６２は、一対の端点６２４を結んでなる仮想線Ｌを基準としたときに、端点６２４から袋部領域６１側に向かって引いた接線（図示略）と仮想線Ｌとのなす角度が０°となるように構成されている。
【００７３】
延設部領域６３は、その後端６３１から縁部領域６２側へ向かうにつれて幅が広くなるように形成された台形部６３２と、台形部６３２と縁部領域６２との間に配置された長方形部６３３とを有しており、長方形部６３３の幅が最大となるように構成されている。また、延設部領域６３における最大の幅寸法、即ち長方形部６３３の幅寸法は、縁部領域６２の最大の幅寸法よりも大きい。具体的には、長方形部６３３の幅寸法は１１０ｍｍである。
【００７４】
本例のカバー５は、上記の構成を有する２枚のシート材６を重ね合わせ、袋部領域６１の外周部６１２及び縁部領域６２の外周部６２１を接合することにより構成されている。更に、本例のカバー５は、長方形部６３３の外周部における、縁部領域６２側の辺部６３４が接合されている。
【００７５】
上記の構成を有するカバー５は、例えば以下のようにしてリムーバー１の吸着ヘッド部４に装着し、あるいは吸着ヘッド部４から使用済みの美容剤とともに取り外すことができる。カバー５を吸着ヘッド部４に装着する場合、使用者は、カバー５を構成する２枚のシート材６（６ａ、６ｂ）のうち、一方のシート材６ａを磁力発生面４１側に向けた状態で、吸着ヘッド部４を挿入口５２１に挿入する。そして、磁力発生面４１が袋部５１により覆われるまで吸着ヘッド部４をカバー５内に進入させる。以上によりカバー５を吸着ヘッド部４に装着することができる。
【００７６】
図１５に示すように、カバー５が吸着ヘッド部４に装着された状態において、一対の延設部５３（５３ａ、５３ｂ）のうち一方の延設部５３ａは、ハンドル部２の下方に配置される。また、他方の延設部５３ｂは、ハンドル部２の上方に配置される。また、磁力発生面４１は、袋部５１により完全に覆われる。
【００７７】
使用者は、カバー５により覆われた磁力発生面４１を肌に塗布された美容剤に接近させることにより、美容剤を磁力により吸着し、肌から除去することができる。肌から除去された美容剤Ｃは、例えば図１６に示すように、磁石３の磁力により袋部５１の表面に吸着される。
【００７８】
吸着ヘッド部４から使用済みの美容剤Ｃとともにカバー５を取り外す場合、使用者は一対の延設部５３を上下方向に開き、次いで一対の延設部５３を吸着ヘッド部４側へ向けて折り返す。この時、図１６に示すように、延設部５３の変位に伴って鍔状部５２３が自然に反転し、次いで環状縁部５２の後端が鍔状部５２３に伴って反転する。その結果、挿入口５２１に沿った環状を呈し、挿入口５２１から前方へ向かうにつれて拡開した折り返し部５４が形成される。
【００７９】
その後、一対の延設部５３を吸着ヘッド部４側へ向けて引っ張ることにより、環状縁部５２及び袋部５１を容易に反転変形させることができる。そして、このようにカバー５の反転変形を行うことにより、使用済みの美容剤Ｃをカバー５の内部に収容した状態で、カバー５を吸着ヘッド部４から取り外すことができる。
【００８０】
上記の構成を有するカバー５は、吸着ヘッド部４を挿入口５２１から挿入することにより吸着ヘッド部４に装着できるように構成されている。そして、袋部５１は、吸着ヘッド部４に装着された状態において磁力発生面４１を覆うことができる。そのため、使用済みの美容剤Ｃが吸着ヘッド部４に直接付着することを抑制できる。
【００８１】
また、カバー５の環状縁部５２は拡開部５２２を有しているため、上述したようにカバー５の反転変形を行うことにより、使用済みの美容剤Ｃをカバー５の内部に収容することができる。
【００８２】
また、カバー５は、拡開部５２２に加えて鍔状部５２３を有しているため、反転変形の過程において、カバー５が折り返されてなる環状の折り返し部５４を自然に形成することができる。それ故、カバー５を反転変形させる過程において、美容剤Ｃがカバー５の外部に漏出して吸着ヘッド部４に直接吸着することをより効果的に抑制できる。
【００８３】
このように、カバー５は、リムーバー１により肌から取り除いた美容剤Ｃがカバー５の外部へ漏出する等の意図しない美容剤Ｃの散逸を抑制することができ、リムーバー１の使いやすさを向上させることができる。
【００８４】
本例のリムーバー１は、磁石３の磁力が比較的遠方まで作用するため、リムーバー１の保管場所周辺に電子機器や磁気カード等を置いた場合に、これらが磁力により悪影響を受けるおそれがある。このような問題は、保管時にリムーバー１を置き台に載置することにより、回避することができる。置き台としては、例えば、その内部に強磁性体よりなる内蔵部材を有するものを用いることができる。
【００８５】
図１７〜図２４に、置き台の一例を示す。図１７〜図２０に示すように、置き台７は、非磁性体よりなる本体部７０と、強磁性体よりなり、本体部７０の内部に配設された複数の内蔵部材とを有している。本体部７０は、リムーバー１の磁力発生面４１を載置可能に構成された載置面部７１を有している。そして、置き台７は、載置面部７１に載置されたリムーバー１と内蔵部材との間に磁気吸引力が生じるように構成されている。
【００８６】
図１８〜図２０に示すように、置き台７の本体部７０は、載置面部７１と、載置面部７１に対向配置される底面部７３と、載置面部７１と底面部７３とを接続する側面部７２とを有している。図１９に示すように、本体部７０は、上面視において略楕円状を呈している。また、図１８に示すように、本体部７０は、載置面部７１側から下方（底面部７３側）に向かうにつれて徐々に拡開している。なお、載置面部７１、底面部７３及び側面部７２は、いずれもＡＢＳ樹脂より形成されている。
【００８７】
図１８に示すように、置き台７は、載置面部７１のヘッド収容部７１１（後述）に磁力発生面４１を載置した状態において、本体部７０の上方にリムーバー１の前端からハンドル本体部２３の前半分までが配置されるように構成されている。このように、リムーバー１の概ね全体が本体部７０の上方に配置されるように構成することにより、使用者等の手が意図せずリムーバー１にぶつかった際等に、リムーバー１を置き台７から落下させにくくすることができる。
【００８８】
また、置き台７は、ヘッド収容部７１１に磁力発生面４１を載置した状態において、幅狭部２２及びハンドル本体部２３と載置面部７１との間に、使用者の指を差し込むことができる程度のクリアランスが形成されるように構成されている。そのため、使用者は、リムーバー１を置き台７から持ち上げる際に、ハンドル本体部２３を容易に把持することができる。
【００８９】
図２０に示すように、載置面部７１は、吸着ヘッド部４の膨出形状と対応する凹状に形成されたヘッド収容部７１１を有している。ヘッド収容部７１１の中央部分は、ヘッド収容部７１１の周囲よりも本体部７０の内側に陥没した平坦面７１２となっている。平坦面７１２は、図１９に示すように、上方から見て、リムーバー１の磁力発生面４１に対応した略楕円形状を呈している。これにより、リムーバー１を置き台７に載置した状態において、磁力発生面４１を平坦面７１２に当接させることができる。
【００９０】
図には示さないが、載置面部７１における平坦面７１２の裏面には、内蔵部材が配置されている。この内蔵部材としては、例えば、粉末状のフェライトを樹脂に分散させてなるフェライトシートを用いることができる。フェライトシートは、接着剤により載置面部７１に接着されている。
【００９１】
図２１に示すように、載置面部７１は、その外周縁部に、側面部７２と載置面部７１とを締結するためのボス７１３を有している。これらのボス７１３には、後述する側面部７２の締結孔７２１（図２２参照）を介してネジが挿通される。
【００９２】
側面部７２は、本体部７０における、載置面部７１と底面部７３との間を接続する外壁部分を構成している。図２２に示すように、側面部７２における載置面部７１と当接する部分には、ネジを挿通するための締結孔７２１が形成されている。これらの締結孔７２１を介して載置面部７１のボス７１３に下方からネジを挿通することにより、載置面部７１と側面部７２とを締結することができる。
【００９３】
また、図２０に示すように、側面部７２は、載置面部７１と底面部７３との対向方向における中間に配置された中間板部７２２を有している。図２０及び図２３に示すように、中間板部７２２は、底面部７３側に向かって立設されたボス７２３を有している。これらのボス７２３は、後述する底面部７３の締結筒部７３１（図２４参照）内に挿入される。そして、締結筒部７３１内に形成された締結孔７３２を介してネジ７３３が挿通される。
【００９４】
図２４に示すように、底面部７３は、略楕円板状を呈している。底面部７３の中央部には、内蔵部材が配置されている。この内蔵部材としては、例えば、鉄板７４を用いることができる。図２０に示すように、鉄板７４は、４枚重ねられた状態でネジ７４１により底面部７３に締結されている。
【００９５】
また、底面部７３は、中間板部７２２側に向かって立設された締結筒部７３１を有している。これらの締結筒部７３１内には、中間板部７２２のボス７２３が挿入される。そして、締結筒部７３１内に形成された締結孔７３２を介してネジ７３３を挿通することにより、底面部７３と側面部７２とを締結することができる。
【００９６】
上述した構成を有する置き台７は、本体部７０の内部に強磁性体よりなる複数の内蔵部材（フェライトシート、鉄板７４）を有している。そのため、置き台７にリムーバー１を載置すると、磁力発生面４１から発生する磁力線が内蔵部材に集中し、磁力線が置き台７の外部に漏洩しにくくなる。その結果、磁力発生面４１から発生する磁力が置き台７の周辺に作用しにくくなる。
【００９７】
また、本体部７０は非磁性体より構成されているため、本体部７０がリムーバー１の磁力の作用を受けることはない。そのため、例えばリムーバー１にネオジム磁石等の強力な磁石３を使用した場合にも、リムーバー１を使用する際に、本体部７０からリムーバー１を容易に引き離すことができる。
【００９８】
また、置き台７は、内蔵部材とリムーバー１との間に磁気吸引力が生じるように構成されている。この磁気吸引力によりリムーバー１の吸着ヘッド部４が載置面部７１側に吸引されるため、置き台７に載置したリムーバー１の姿勢を容易に安定させることができる。
【００９９】
また、図２０に示すように、本例の置き台７は、内蔵部材としての鉄板７４が底面部７３に固定されているため、本体部７０の重心の位置を低くすることができる。その結果、置き台７の意図しない転倒や、机上からの落下等を起こりにくくすることができる。
【符号の説明】
【０１００】
１  リムーバー
２  ハンドル部
３  磁石
４  吸着ヘッド部
４１  磁力発生面
【図１】
0006630134.tif 000002
【図２】
0006630134.tif 000003
【図３】
0006630134.tif 000004
【図４】
0006630134.tif 000005
【図５】
0006630134.tif 000006
【図６】
0006630134.tif 000007
【図７】
0006630134.tif 000008
【図８】
0006630134.tif 000009
【図９】
0006630134.tif 000010
【図１０】
0006630134.tif 000011
【図１１】
0006630134.tif 000012
【図１２】
0006630134.tif 000013
【図１３】
0006630134.tif 000014
【図１４】
0006630134.tif 000015
【図１５】
0006630134.tif 000016
【図１６】
0006630134.tif 000017
【図１７】
0006630134.tif 000018
【図１８】
0006630134.tif 000019
【図１９】
0006630134.tif 000020
【図２０】
0006630134.tif 000021
【図２１】
0006630134.tif 000022
【図２２】
0006630134.tif 000023
【図２３】
0006630134.tif 000024
【図２４】
0006630134.tif 000025